【手続補正書】
【提出日】平成21年12月18日(2009.12.18)
【手続補正１】
【補正対象書類名】特許請求の範囲
【補正対象項目名】全文
【補正方法】変更
【補正の内容】
【特許請求の範囲】
【請求項１】
記憶領域にデータが投入されると、前記記憶領域において設定された処理の属性を適用して、前記データを処理することが可能な処理実行手段と、
前記処理実行手段による処理の実行においてエラーが検出された場合、エラー処理を実行するためのエラーイベントを発生させるエラーイベント発生手段と、
前記エラーイベント発生手段により発生した前記エラーイベントに従い、前記記憶領域に対応付けられたエラー処理を実行するエラー処理実行手段と、
を備えることを特徴とする画像形成装置。
【請求項２】
前記エラーイベント発生手段は、
前記記憶領域において、前記処理の属性に対応したエラーイベントを発生させるためのエラー処理スクリプトが設定されているか確認し、前記確認の結果に基づきエラーイベントを発生させることを特徴とする請求項１に記載の画像形成装置。
【請求項３】
前記エラーイベント発生手段は、
前記エラー処理スクリプトが前記記憶領域に設定されている場合、ユーザ設定に基づくユーザエラーイベントを発生させ、
前記エラー処理スクリプトが前記記憶領域に設定されていない場合、システムエラーイベントを発生させる
ことを特徴とする請求項２に記載の画像形成装置。
【請求項４】
前記エラー処理実行手段は、
前記エラーイベント発生手段により発生した前記エラーイベントに対応する、実行すべきエラー処理を特定したエラー処理スクリプトファイルの登録の有無を判定し、
前記判定の結果に従い前記エラー処理スクリプトファイルが登録されている場合、前記エラー処理スクリプトファイルにより特定される前記エラー処理を実行し、
前記判定の結果に従い前記エラー処理スクリプトファイルが登録されていない場合、デフォルトのエラー処理を実行することを特徴とする請求項１に記載の画像形成装置。
【請求項５】
前記処理実行手段による前記データの処理の履歴を示す履歴情報を生成する生成手段と、
前記処理実行手段による前記データの処理結果を他のデバイスで処理させるために、前記データの処理結果と前記履歴情報を含む履歴情報リストとをネットワークを介して他のデバイスとの間で送受信することが可能な通信手段と
を更に備えることを特徴とする請求項１に記載の画像形成装置。
【請求項６】
前記通信手段が前記他のデバイスから送信された前記データの処理結果及び前記履歴情報リストを受信した場合に、
前記処理実行手段は、前記記憶領域において設定された処理の属性を適用して前記受信したデータを処理することを特徴とする請求項５に記載の画像形成装置。
【請求項７】
前記エラーイベント発生手段は、受信したデータ処理の実行においてエラーが検出された場合、エラー処理を実行するためのエラーイベントを発生させることを特徴とする請求項１または６に記載の画像形成装置。
【請求項８】
前記通信手段が受信した前記履歴情報リストに基づいて前記データの処理結果及び前記履歴情報リストの投入元を特定する特定手段を更に備え、
前記エラーイベント発生手段が前記受信したデータ処理に対してエラーイベントを発生させた場合に、
前記通信手段は、前記特定手段により特定された前記投入元に前記エラーイベントを送信することを特徴とする請求項５または６に記載の画像形成装置。
【請求項９】
前記通信手段が前記他のデバイスから送信された前記エラーイベントを受信した場合に、
前記エラー処理実行手段は、前記通信手段が受信した前記エラーイベントに従い、前記記憶領域に対応付けられたエラー処理を実行することを特徴とする請求項８に記載の画像形成装置。
【請求項１０】
処理実行手段が、記憶領域にデータが投入されると、前記記憶領域において設定された処理の属性を適用して、前記データを処理することが可能な処理実行工程と、
エラーイベント発生手段が、前記処理実行工程による処理の実行においてエラーが検出された場合、エラー処理を実行するためのエラーイベントを発生させるエラーイベント発生工程と、
エラー処理実行手段が、前記エラーイベント発生工程により発生した前記エラーイベントに従い、前記記憶領域に対応付けられたエラー処理を実行するエラー処理実行工程と、
を有することを特徴とする画像形成装置の制御方法。
【請求項１１】
前記エラーイベント発生工程は、
前記記憶領域において、前記処理の属性に対応したエラーイベントを発生させるためのエラー処理スクリプトが設定されているか確認し、前記確認の結果に基づきエラーイベントを発生させることを特徴とする請求項１０に記載の画像形成装置の制御方法。
【請求項１２】
前記エラーイベント発生工程は、
前記エラー処理スクリプトが前記記憶領域に設定されている場合、ユーザ設定に基づくユーザエラーイベントを発生させ、
前記エラー処理スクリプトが前記記憶領域に設定されていない場合、システムエラーイベントを発生させる
ことを特徴とする請求項１１に記載の画像形成装置の制御方法。
【請求項１３】
前記エラー処理実行工程は、
前記エラーイベント発生工程により発生した前記エラーイベントに対応する、実行すべきエラー処理を特定したエラー処理スクリプトファイルの登録の有無を判定し、
前記判定の結果に従い前記エラー処理スクリプトファイルが登録されている場合、前記エラー処理スクリプトファイルにより特定される前記エラー処理を実行し、
前記判定の結果に従い前記エラー処理スクリプトファイルが登録されていない場合、デフォルトのエラー処理を実行することを特徴とする請求項１０に記載の画像形成装置の制御方法。
【請求項１４】
生成手段が、前記処理実行工程による前記データの処理の履歴を示す履歴情報を生成する生成工程と、
通信手段が、前記処理実行工程による前記データの処理結果を他のデバイスで処理させるために、前記データの処理結果と前記履歴情報を含む履歴情報リストとをネットワークを介して他のデバイスとの間で送受信することが可能な通信工程と
を更に有することを特徴とする請求項１０に記載の画像形成装置の制御方法。
【請求項１５】
前記通信工程が前記他のデバイスから送信された前記データの処理結果及び前記履歴情報リストを受信した場合に、
前記処理実行工程は、前記記憶領域において設定された処理の属性を適用して前記受信したデータを処理することを特徴とする請求項１４に記載の画像形成装置の制御方法。
【請求項１６】
前記エラーイベント発生工程は、受信したデータ処理の実行においてエラーが検出された場合、エラー処理を実行するためのエラーイベントを発生させることを特徴とする請求項１０または１５に記載の画像形成装置の制御方法。
【請求項１７】
特定手段が、前記通信工程が受信した前記履歴情報リストに基づいて前記データの処理結果及び前記履歴情報リストの投入元を特定する特定工程を更に有し、
前記エラーイベント発生工程が前記受信したデータ処理に対してエラーイベントを発生させた場合に、
前記通信工程は、前記特定工程により特定された前記投入元に前記エラーイベントを送信することを特徴とする請求項１４または１５に記載の画像形成装置の制御方法。
【請求項１８】
前記通信工程が前記他のデバイスから送信された前記エラーイベントを受信した場合に、
前記エラー処理実行工程は、前記通信工程が受信した前記エラーイベントに従い、前記記憶領域に対応付けられたエラー処理を実行することを特徴とする請求項１７に記載の画像形成装置の制御方法。
【請求項１９】
請求項１０乃至１８のいずれか１項に記載の画像形成装置の制御方法をコンピュータに実行させることを特徴するプログラム。
【請求項２０】
請求項１９に記載のプログラムを格納したことを特徴とするコンピュータ可読の記憶媒体。
【手続補正２】
【補正対象書類名】明細書
【補正対象項目名】０００９
【補正方法】変更
【補正の内容】
【０００９】
あるいは、上記の目的を達成する本発明に係る画像形成装置の制御方法は、
処理実行手段が、記憶領域にデータが投入されると、前記記憶領域において設定された処理の属性を適用して、前記データを処理することが可能な処理実行工程と、
エラーイベント発生手段が、前記処理実行工程による処理の実行においてエラーが検出された場合、エラー処理を実行するためのエラーイベントを発生させるエラーイベント発生工程と、
エラー処理実行手段が、前記エラーイベント発生工程により発生した前記エラーイベントに従い、前記記憶領域に対応付けられたエラー処理を実行するエラー処理実行工程と、
を有することを特徴とする。